(57)【要約】【課題】この発明はシングルクッションタイプとダブルクッションタイプとで主要な部品を共用できるようにしたベッド装置を提供することにある。【解決手段】ヘッドボード３と、ヘッドボードの幅方向一端部と他端部との内面にそれぞれ一端が連結固定された一対の連結部材２１と、幅方向の一端部と他端部の内面に一対の連結部材の他端が連結固定されたフットボード４と、一対の連結部材の上面に幅方向の両端部下面を載置して設けられたボトムマットレス２７と、ボトムマットレスの上面に載置された上部マットレス１３とを具備する。【選択図】      図１
2009028240.tif 000002
【特許請求の範囲】
【請求項１】
ヘッドボードと、
このヘッドボードの幅方向一端部と他端部との内面にそれぞれ一端が連結固定された一対の連結部材と、
幅方向の一端部と他端部の内面に上記一対の連結部材の他端が連結固定されたフットボードと、
一対の連結部材の上面に幅方向の両端部下面を載置して設けられたボトムマットレスと、
このボトムマットレスの上面に載置された上部マットレスと
を具備したことを特徴とするベッド装置。
【請求項２】
上記ボトムマットレスは下面に枠体が設けられ、
上記連結部材には上記枠体の内面に係合して上記ボトムマットレスが上記連結部材上でずれ動くのを規制する係合部材が設けられていることを特徴とする請求項１記載のベッド装置。
【請求項３】
上記連結部材は、杆状部材と、この杆状部材の一端と他端とに幅方向の一端部が連結固定された板状部材とを有し、
上記板状部材は杆状部材が連結された幅方向の一端部を上記ヘッドボード及びフットボードの幅方向の内方に位置させて上記ヘッドボード及びフットボードの内面に連結固定されることを特徴とする請求項１記載のベッド装置。
【請求項４】
上記ヘッドボードとフットボードの幅方向両端部の内面にはインサートナットが埋め込まれていて、上記連結部材の板状部材には上記インサートナットに螺合してその板状部材を上記各ボードに連結固定するための連結ねじを挿通する挿通孔が形成されていることを特徴とする請求項３記載のベッド装置。
【発明の詳細な説明】
【技術分野】
【０００１】
この発明はボトムマットレスの上面に上部マットレスが載置されるダブルクッションタイプのベッド装置に関する。
【背景技術】
【０００２】
ベッド装置には上述したダブルクッションタイプの他に、図６に示すシングルクッションタイプのベッド装置１が知られている。このベッド装置１はベッドフレーム２を有する。このベッドフレーム２はヘッドボード３、フットボード４及び一対のサイドフレーム５を備えている。
【０００３】
上記ヘッドボード３とフットボード４の内面の幅方向の両端部にはそれぞれインサートナット６が埋め込まれている。上記サイドフレーム５の内面には受け桟７が長手方向に沿って設けられている。上記サイドフレーム５の長手方向の両端には平面形状がＬ字状をなして連結具８の一辺がねじ止め固定されている。
【０００４】
上記連結具８の他辺には、図７に示すように上下一対のフック９が形成されていて、これらのフック９が上記ヘッドボード３とフットボード４の内面のインサートナット６に螺合される連結ねじ１１に係合させて連結固定される。つまり、ヘッドボード３とフットボード４が一対のサイドフレーム５によって連結されることで、平面形状が矩形枠状をなした上記ベッドフレーム２が構成される。
【０００５】
一対のサイドフレーム５の受け桟７には、ベッドフレーム２の長手方向に対して分割された２枚の床板１２が幅方向両端部を係合させて架設される。そして、この床板１２上には上記ヘッドボード３、フットボード４と幅寸法が同じに設定されたマットレス１３が載置される。  
なお、一対のサイドフレーム５は、各サイドフレーム５の内面に設けられた一対の受け桟７に両端を係合させて保持線材１４によって外方へ変形するのが阻止される。
【０００６】
一方、ダブルクッションタイプのベッド装置は、特許文献１の第１５図に示されているように、ボトムマットレスの端面の幅方向両端部にナットが固着された取り付け具が設けられる。
【０００７】
一方、ヘッドボードの幅方向両端部には厚さ方向に貫通する貫通孔が形成され、この貫通孔にはヘッドボードの外面からボルトが挿通されて上記取り付け具のナットに螺合される。それによって、ヘッドボードをボトムマットレスの端面に連結固定するということが行なわれている。
【特許文献１】実願昭５４−１４８５８４号（実開昭６３−５０２５４号）のマイクロフィルム
【発明の開示】
【発明が解決しようとする課題】
【０００８】
ところで、上述した構成のシングルクッションタイプのベッド装置と、上述したダブルクッションタイプのベッド装置とではたとえばクッション性などの性能が異なる。そのため、シングルクッションタイプのベッド装置を使用していた利用者がダブルクッションタイプのベッド装置への交換を希望したり、逆にダブルクッションタイプのベッド装置の利用者がシングルクッションタイプのベッド装置への交換を希望することがある。
【０００９】
クッションタイプの異なるベッド装置に交換する場合、各ベッド装置を構成する部品の少なくとも一部を転用することができるようにすれば、資源の節約やコストの低減を図ることができるということがある。とくに、ヘッドボードやフットボードは高価であるから、これらの部品を転用できるようにすることが望まれている。
【００１０】
しかしながら、上述したダブルクッションタイプのベッド装置は、ヘッドボードをボトムマットレスに連結固定するために、ヘッドボードの幅方向両端部に貫通孔を形成するようにしている。
【００１１】
一方、上述したシングルクッションタイプのベッド装置はヘッドボードとフットボードの内面にインサートナットを埋設し、このインサートナットに螺合される連結ねじによってサイドフレームの長手方向両端に設けられた連結具をヘッドボードとフットボードの内面に連結固定するようにしている。
【００１２】
そのため、シングルクッションタイプのベッド装置のヘッドボードやフットボードをダブルクッションタイプのベッド装置に利用しようとしても、各ボードに貫通孔が形成されていないため、転用することができないということがある。
【００１３】
逆にダブルクッションタイプのベッド装置のヘッドボードをシングルクッションタイプのベッド装置に利用しようとすると、ヘッドボードに貫通して形成された貫通孔及びこの間通孔に挿通されるねじがヘッドボードの外面に露出するから、外観の低下を招き、好ましくないということがある。
【００１４】
この発明は、シングルタイプのベッド装置のヘッドボード及びフットボードをダブルクッションタイプのベッド装置に利用することができるようにしたベッド装置を提供することにある。
【課題を解決するための手段】
【００１５】
この発明は、ヘッドボードと、
このヘッドボードの幅方向一端部と他端部との内面にそれぞれ一端が連結固定された一対の連結部材と、
幅方向の一端部と他端部の内面に上記一対の連結部材の他端が連結固定されたフットボードと、
一対の連結部材の上面に幅方向の両端部下面を載置して設けられたボトムマットレスと、
このボトムマットレスの上面に載置された上部マットレスと
を具備したことを特徴とするベッド装置にある。
【００１６】
上記ボトムマットレスは下面に枠体が設けられ、
上記連結部材には上記枠体の内面に係合して上記ボトムマットレスが上記連結部材上でずれ動くのを規制する係合部材が設けられていることが好ましい。
【００１７】
上記連結部材は、杆状部材と、この杆状部材の一端と他端とに幅方向の一端部が連結固定された板状部材とを有し、
上記板状部材は杆状部材が連結された幅方向の一端部を上記ヘッドボード及びフットボードの幅方向の内方に位置させて上記ヘッドボード及びフットボードの内面に連結固定されることが好ましい。
【００１８】
上記ヘッドボードとフットボードの幅方向両端部の内面にはインサートナットが埋め込まれていて、上記連結部材の板状部材には上記インサートナットに螺合してその板状部材を上記各ボードに連結固定するためのねじを挿通する挿通孔が形成されていることが好ましい。
【発明の効果】
【００１９】
この発明によれば、シングルタイプのベッド装置のヘッドボードとフットボードの内面の幅方向の両端部に、一対の連結部材の一端と他端を連結し、これら連結部材の上面にボトムマットレスを載置するようにした。  
そのため、シングルタイプのベッド装置のヘッドボードとフットボードを利用して、ダブルタイプのベッド装置に変更することが可能となる。
【発明を実施するための最良の形態】
【００２０】
以下、この発明の一実施の形態を図１乃至図４を参照しながら説明する。  
図１は図６に示すシングルタイプのベッド装置１のヘッドボード３、フットボード４及びマットレス１３が転用されるダブルクッションタイプのベッド装置１Ａの分解斜視図である。上記ヘッドボード３とフットボード４は一対の連結部材２１によって連結される。この連結部材２１は角パイプからなる所定長さの杆状部材２２を有し、この杆状部材２２の一端と他端にはそれぞれ台形状の板状部材２３が幅方向の一端部を固着して設けられている。
【００２１】
上記板状部材２３の幅方向他端には、図３に示すように一対の挿通孔２４が上下方向に所定間隔で穿設されている。上記杆状部材２２の長手方向の両端部の上記板状部材２３の幅方向他端側を向いた側面には逆Ｌ字状をなした係合部材２５の一辺が固着されている。この係合部材２５の他辺は杆状部材２２の上面から所定寸法上方へ突出している。
【００２２】
一対の連結部材２１は、杆状部材２２の一端に設けられた一方の板状部材２３がヘッドボード３に連結固定され、他端に設けられた他方の板状部材２３がフットボード４に連結固定される。
【００２３】
つまり、各板状部材２３の幅方向他端に設けられた一対の挿通孔２４に連結ねじ１１を挿通し、その連結ねじ１１をヘッドボード３とフットボード４の内面の幅方向両端部に設けられたインサートナット６に螺合する。それによって、ヘッドボード３、フットボード４及び一対の連結部材２１によってベッドフレーム２Ａが構成される。
【００２４】
上記連結ねじ１１が挿通される挿通孔２４は上記板状部材２３の幅方向他端に形成されている。したがって、板状部材２３の挿通孔２４を介して連結部材２１をヘッドボード３とフットボード４に連結すると、板状部材２３の幅方向一端に設けられた杆状部材２２は各ボード３，４の幅方向両端面から図２にＳで示す寸法だけないほうに位置することになる。
【００２５】
上記ベッドフレーム２Ａの一対の連結部材２１上にはボトムマットレス２７が載置される。このボトムマットレス２７は図２と図４に示すように枠体２８を有し、この枠体２８の上面にスプリングユニット２９が設けられている。このスプリングユニット２９の上面にはクッション材３１が設けられ、このクッション材３１及び上記スプリングユニット２９の外周面が外装地３２によって被覆されている。
【００２６】
上記ボトムマットレス２７を連結部材２１の上面に載置すると、図２に示すようにこのボトムマットレス２７の下面に設けられた枠体２８の幅方向両端に位置する縦桟２８ａの内側面が上記連結部材２１の杆状部材２２に設けられた係合部材２５の他辺に対向する。それによって、ボトムマットレス２７の幅方向の動きが上記係合部材２５によって制限されるから、ボトムマットレス２７が連結部材２１上からずれ落ちるのが防止される。
【００２７】
上記ボトムマットレス２７の上面にはシングルクッションタイプのベッド装置１に用いられて上部マットレスとなるマットレス１３が載置される。
【００２８】
このような構成のダブルクッションタイプのベッド装置１Ａによれば、ヘッドボード３とフットボード４を一対の連結部材２１によって連結してベッドフレーム２Ａとし、連結部材２１の上面にボトムマットレス２７及び上部マットレス１３順次を載置するようにした。
【００２９】
そのため、シングルクッションタイプのベッド装置１の利用者がダブルクッションタイプのベッド装置１Ａに変更したい場合、シングルクッションタイプのヘッドボード３、フットボード４及び上部マットレス１３をダブルクッションタイプのベッド装置１Ａに転用することがきるから、部品の有効利用が図れるばかりか、コスト的にも有利である。
【００３０】
しかも、ヘッドボード３とフットボード４を、従来のようにボトムマットレス２７に連結せず、ヘッドボード３とフットボード４の内面に設けられたインサートナット６を利用して一対の連結部材２１によって連結するようにした。
【００３１】
そのため、ヘッドボード３とフットボード４に、これらボード３，４をボトムマットレス２７に連結するための貫通孔を形成せずにすむから、各ボード３，４の外面に貫通孔や連結ねじが露出して外観の低下を招くということがない。
【００３２】
ボトムマットレス２７が載置される連結部材２１には、ボトムマットレス２７の下面の枠体２８と係合する係合部材２５を設けるようにした。そのため、ボトムマットレス２７を連結部材２１上に載置してダブルクッションタイプのベッド装置１Ａとしても、ボトムマットレス２７が連結部材２１上でずれ動いて安定性が低下するということもない。
【００３３】
さらに、連結部材２１の板状部材２３には、幅方向一端に杆状部材２２が連結され、他端に板状部材２３を各ボード３，４に連結するための挿通孔２４を形成したから、各ボード３，４を連結部材２１によって連結すると、連結部材２１の杆状部材２２は各ボード３，４の幅方向の端面から図２にＳで示す所定寸法内方に位置する。
【００３４】
そのため、杆状部材２２にボトムマットレス２７を載置すると、杆状部材２２はボトムマットレス２７の側面よりも所定寸法Ｓだけ幅方向内方に位置して外部からほとんど見えないから、杆状部材２２がベッド装置１ａの外観を損なうということもない。
【００３５】
図５はダブルサイズのベッド装置１Ａに並べて使用される２つのボトムマットレス２７下面側から見た状態を示している。並設された２つのボトムマットレス２７の下面には、それぞれの枠体２８の隣接する幅方向の一端部の長手方向一端部と他端部にそれぞれ取付け部材３５がねじ止め固定される。各取付け部材３５には脚部材３６が取り付けられる。
【００３６】
それによって、一対のボトムマットレス２７は、幅方向の一端部が上記脚部材３６によって支持され、他端部がヘッドボード３とフットボード４を連結した連結部材２１に杆状部材２２によって支持されるから、並設される２つのボトムマットレス２７を水平な状態で安定性よく支持することができる。
【図面の簡単な説明】
【００３７】
【図１】この発明の一実施の形態を示すベッド装置の分解斜視図。
【図２】ボトムマットレスをベッドフレームに載置した状態をボトムマットレスの一部を断面して示す図。
【図３】連結部材の一端部を示す斜視図。
【図４】ボトムマットレスの下面図。
【図５】２つのボトムマットレスを並設して使用するときの説明図。
【図６】従来のシングルクッションタイプのベッド装置の分解斜視図。
【図７】サイドフレームとヘッドボード及びフットボードの連結構造を示す分解斜視図。
【符号の説明】
【００３８】
２Ａ…ベッドフレーム、３…ヘッドボード、４…フットボード、１１…連結ねじ、１３…マットレス（上部）、２１…連結部材、２２…杆状部材、２３…板状部材、２４…挿通孔、２５…係合部材、２７…ボトムマットレス。
【図１】
2009028240.tif 000003
【図２】
2009028240.tif 000004
【図３】
2009028240.tif 000005
【図４】
2009028240.tif 000006
【図５】
2009028240.tif 000007
【図６】
2009028240.tif 000008
【図７】
2009028240.tif 000009